(57)【要約】【課題】積層鉄心に形成された磁石挿入穴に樹脂を充填して永久磁石を積層鉄心に固定する際に使用されるダミー板であって、樹脂滓の発生量が少ないダミー板、及び電機子の製造方法を提供する。【解決手段】磁石挿入穴９ａ〜９ｄ内に樹脂を注入して、樹脂を磁石挿入穴９ａ〜９ｄ内で硬化させて、永久磁石を積層鉄心に固定する際に使用されて、積層鉄心の端面に当接されるとともに、樹脂溜めポット５から送出される樹脂を通過させて磁石挿入穴９ａ〜９ｄに導くゲート孔１１を備えるダミー板４において、ゲート孔１１は、ダミー板４と積層鉄心を平面視する場合に、複数個の磁石挿入穴９ａ〜９ｄの、それぞれ一部と重なるように配置されていることを特徴とする。【選択図】図２
2018107841.tif 000002
【特許請求の範囲】
【請求項１】
積層鉄心に形成された複数の磁石挿入穴のそれぞれに永久磁石を挿入した後に、前記積層鉄心を上型と下型で挟んだ状態で、前記上型及び下型のいずれか１の金型に設けられた樹脂溜めポットから前記磁石挿入穴内に樹脂を注入して、該樹脂を前記磁石挿入穴内で硬化させて、前記永久磁石を前記積層鉄心に固定する際に使用されて、前記積層鉄心の端面に当接されるとともに、前記樹脂溜めポットから送出される樹脂を通過させて前記磁石挿入穴に導くゲート孔を備えるダミー板において、
前記ゲート孔は、前記ダミー板と前記積層鉄心を平面視する場合に、複数個の前記磁石挿入穴の、それぞれ一部と重なるように配置されていることを特徴とする、
ダミー板。
【請求項２】
前記ゲート孔は、その中心が、前記ダミー板と前記積層鉄心を平面視する場合に、２個の前記磁石挿入穴を最短距離で結ぶ線分の上にあるように配置されていることを特徴とする、
請求項１に記載のダミー板。
【請求項３】
前記ゲート孔は、その中心が、前記線分の中点にあるように配置されていることを特徴とする、
請求項２に記載のダミー板。
【請求項４】
２個の前記磁石挿入穴に注入される樹脂の容積が異なる場合に、前記ゲート孔は、その中心が、前記線分の中点よりも、注入される樹脂の容積が大きい前記磁石挿入穴に偏った位置に配置されていることを特徴とする、
請求項２に記載のダミー板。
【請求項５】
積層鉄心に形成された複数の磁石挿入穴のそれぞれに永久磁石を挿入した後に、前記積層鉄心を上型と下型で挟んだ状態で、前記上型及び下型のいずれか１の金型に設けられた樹脂溜めポットから前記磁石挿入穴内に樹脂を注入して、該樹脂を前記磁石挿入穴内で硬化させて、前記永久磁石を前記積層鉄心に固定する電機子の製造方法において、
前記積層鉄心の端面に、請求項１から請求項４のいずれか一項に記載のダミー板を載置して、前記積層鉄心と前記ダミー板を上型と下型で挟み、前記樹脂溜めポットから、前記ダミー板が備えるゲート穴を通して、前記磁石挿入穴内に樹脂を注入することを特徴とする、
電機子の製造方法。
【発明の詳細な説明】
【技術分野】
【０００１】
本発明は、電機子の製造に使用されるダミー板と、ダミー板を使用して実施される電機子の製造方法に関するものである。
【背景技術】
【０００２】
永久磁石付き電機子の製造にあたって、積層鉄心に形成された磁石挿入穴に永久磁石を挿入して、その後で、磁石挿入孔に樹脂を注入して、該樹脂を硬化させて、永久磁石を積層鉄心に固定することが知られている。
【０００３】
例えば、特許文献１には、積層鉄心の上面にダミー板を載置して、積層鉄心とダミー板を上型と下型で挟んで、上型から積層鉄心に樹脂を注入して行う永久磁石付き電機子の製造方法が開示されている。該方法に使用される上型には樹脂溜めポットが形成され、樹脂溜めポットにはプランジャーが備えられている。そして、ダミー板にはゲート孔が形成されていて、樹脂溜めポットが備えるプランジャーを動作させると、樹脂溜めポットに貯留された樹脂がゲート孔を通って、磁石挿入孔に流入する。
【０００４】
特許文献２に記載の樹脂注入装置は、下型に樹脂溜めポットとプランジャーを備えていて、ダミー板は積層鉄心の下面に当接するように配置されている。樹脂溜めポットに貯留された樹脂は、ダミー板に形成されたゲート孔を経由して、積層鉄心の下面から磁石挿入孔に注入される（特許文献２，図１１）。
【０００５】
ダミー板は、樹脂の注入・硬化後に残る樹脂滓の除去を容易にするために使用される金属板である。仮に、ダミー板が存在しなければ、磁石挿入穴に樹脂を注入する際に磁石挿入穴から溢れた樹脂が、積層鉄心の端面で硬化して樹脂滓となって、積層鉄心に付着する。樹脂滓の除去には手間が掛かるので、永久磁石付き電機子の製造が阻害される。これに対して、金型と積層鉄心の間にダミー板を配置していれば、樹脂滓はダミー板の表面に形成される。そして、ダミー板を取り外せば、樹脂滓が付着していない永久磁石付き電機子を次工程に送り出すことができる。つまり、ダミー板を取り外すだけで、樹脂滓を除去することができる。なお、ダミー板はカルプレート（cull plate)とも呼ばれる。
【０００６】
また、従来の永久磁石付き電機子においては、当該電機子の極数と同数の永久磁石を円周上に等間隔に配置することが一般的であった。しかしながら、近年は、電機子の電磁気学的性能を改善するために、電機子の１個の極に複数個の永久磁石を配置することが行われている（特許文献３）。つまり、近年は、永久磁石付き電機子が備える永久磁石の個数が、増加する傾向にある。
【先行技術文献】
【特許文献】
【０００７】
【特許文献１】特開２０１６−１１６３７４号公報
【特許文献２】特開２０１２−１２５０２９号公報
【特許文献３】特開２００２−２０９３５０号公報
【発明の概要】
【発明が解決しようとする課題】
【０００８】
特許文献３に記載されているような多数の永久磁石を備える永久磁石付き電機子を、特許文献１，２に記載の装置で製造する場合、多数の磁石挿入穴に同時に樹脂を注入できるように、積層鉄心が備える磁石挿入穴と同数のゲート孔をダミー板に備える必要がある。つまり、ゲート孔の個数を増やす必要がある。また、ゲート孔の個数が増えると、樹脂溜めポットとゲート孔の間を連絡するランナーと呼ばれる流路の個数も増やす必要がある。
【０００９】
樹脂溜めポットから磁石挿入穴に注入される樹脂の一部は、樹脂の注入が完了した後も、ゲート孔とランナーの内部に残留して、樹脂滓が生じる。そのため、ゲート孔とランナーの個数が増加すると、樹脂滓の量が増える。樹脂滓の量が増えると、ダミー板から樹脂滓を除去する手間が増加するという問題が生じる。また、樹脂滓として廃棄される樹脂の量が増大して、その結果、材料費が嵩むという問題が生じる。
【００１０】
本発明は、このような事情に鑑みてなされたものであり、積層鉄心に形成された磁石挿入穴に樹脂を充填して永久磁石を積層鉄心に固定する際に使用されるダミー板であって、樹脂滓の発生量が少ないダミー板を提供するものである。また、樹脂滓の発生量が少ない永久磁石付き電機子の製造方法を提供するものである。
【課題を解決するための手段】
【００１１】
上記課題を解決するために、本発明に係るダミー板は、積層鉄心に形成された複数の磁石挿入穴のそれぞれに永久磁石を挿入した後に、前記積層鉄心を上型と下型で挟んだ状態で、前記上型及び下型のいずれか１の金型に設けられた樹脂溜めポットから前記磁石挿入穴内に樹脂を注入して、該樹脂を前記磁石挿入穴内で硬化させて、前記永久磁石を前記積層鉄心に固定する際に使用されて、前記積層鉄心の端面に当接されるとともに、前記樹脂溜めポットから送出される樹脂を通過させて前記磁石挿入穴に導くゲート孔を備えるダミー板において、前記ゲート孔は、前記ダミー板と前記積層鉄心を平面視する場合に、複数個の前記磁石挿入穴の、それぞれ一部と重なるように配置されていることを特徴とする。
【００１２】
前記ゲート孔は、その中心が、前記ダミー板と前記積層鉄心を平面視する場合に、２個の前記磁石挿入穴を最短距離で結ぶ線分の上にあるように配置されるようにしても良い。
【００１３】
前記ゲート孔は、その中心が、前記線分の中点にあるように配置されるようにしても良い。  
【００１４】
２個の前記磁石挿入穴に注入される樹脂の容積が異なる場合に、前記ゲート孔は、その中心が、前記線分の中点よりも、注入される樹脂の容積が大きい前記磁石挿入穴に偏った位置に配置されるようにしても良い。
【００１５】
本発明に係る電機子の製造方法は、積層鉄心に形成された複数の磁石挿入穴のそれぞれに永久磁石を挿入した後に、前記積層鉄心を上型と下型で挟んだ状態で、前記上型及び下型のいずれか１の金型に設けられた樹脂溜めポットから前記磁石挿入穴内に樹脂を注入して、該樹脂を前記磁石挿入穴内で硬化させて、前記永久磁石を前記積層鉄心に固定する電機子の製造方法において、前記積層鉄心の端面に、前記のいずれかのダミー板を載置して、前記積層鉄心と前記ダミー板を上型と下型で挟み、前記樹脂溜めポットから、前記ダミー板が備えるゲート穴を通して、前記磁石挿入穴内に樹脂を注入するものである。
【発明の効果】
【００１６】
本発明に係るダミー板が備えるゲート孔は、ダミー板と積層鉄心を平面視する場合に、複数個の磁石挿入穴の、それぞれ一部と重なるように配置されているので、ダミー板が備えるゲート孔の個数を少なくすることができる。また、樹脂溜めポットとゲート孔の間に配置されるランナーの個数を少なくすることができる。本発明に係る電機子の製造方法においては、このようなダミー板を使用して、磁石挿入穴に樹脂を注入するので、ダミー板に残留する樹脂滓の量を小さくでき、樹脂滓の除去に係る手間を小さくし、また、樹脂の廃棄量を少なくすることができる。
【図面の簡単な説明】
【００１７】
【図１】本発明の実施形態に係るダミー板と積層鉄心を上型と下型で挟持した状態を示す断面図である。
【図２】図１に記載のダミー板が備えるゲート孔の、上型に形成された樹脂溜めポットと、積層鉄心に形成された磁石挿入穴に対する相対的位置を示す平面図であり、（ａ）〜（ｃ）は、それぞれ、変形例を示す。
【図３】図１に記載のダミー板が備えるゲート孔の、積層鉄心に形成された隣接する２個の磁石挿入穴に対する相対的位置を示す平面図であり、（ａ）〜（ｄ）は、それぞれ、変形例を示す。
【図４】図１に記載のダミー板が備えるゲート孔の、上型に形成された樹脂溜めポットに対する相対的位置の変形例を示す断面図である。
【図５】図１に記載のダミー板が備えるゲート孔の、上型に形成された樹脂溜めポットに対する相対的位置の変形例を示すダミー板の平面図であり、（ａ）と（ｂ）は、それぞれ別の変形例を示している。
【図６】本発明の実施形態に係る電機子の製造方法を示す図であり、（ａ）〜（ｆ）は、電機子の製造過程を時系列に示す図である。
【発明を実施するための形態】
【００１８】
図１は、下型１と上型２で、本発明の実施形態に係る積層鉄心３とダミー板４を挟持した状態を示す断面図である。なお、下型１と上型２と積層鉄心３とダミー板４は、図示しない樹脂注入装置に取り付けられる。
【００１９】
下型１は、図１において積層鉄心３の下方に配置されて、積層鉄心３を保持する金型である。上型２は、積層鉄心３の上方に配置される金型である。下型１と上型２は積層鉄心３を挟持して、積層鉄心３を押圧する。また、上型２には、樹脂溜めポット５とランナー６が形成されていて、樹脂溜めポット５にはプランジャー７が進退自在に取り付けられている。樹脂溜めポット５は、上型２を上下に貫く円筒状の空所であって、図示しない樹脂注入装置から供給される樹脂を一時的に貯留する部位である。ランナー６は上型２の下面、つまりダミー板４と当接する面に形成された溝であり、樹脂溜めポット５に接続されている。また、プランジャー７は、一種のピストンである。そのため、プランジャー７を押し下げると、樹脂溜めポット５内に貯留された樹脂は、樹脂溜めポット５から押し出されて、ランナー６に流れる。
【００２０】
積層鉄心３は、永久磁石付き電機子を構成する部品であって、複数の鉄心片８を積層して構成される。積層鉄心３には、積層鉄心３を図１において上下方向に貫く、複数個の磁石挿入穴９が形成されている。磁石挿入穴９の中には永久磁石１０が挿入されている。なお、磁石挿入穴９は、鉄心片８を製造する際に、素材を打ち抜き加工して形成される。
【００２１】
ダミー板４は、平面形において積層鉄心３と同形同寸の金属板であって、上型２と積層鉄心３の間に配置される。つまり、ダミー板４は積層鉄心３の上面に当接して、積層鉄心３の上面の全体を覆うように構成されている。ダミー板４にはゲート孔１１が形成されている。ゲート孔１１はダミー板４を上下に貫通する孔であって、図１に示す状態において、上型２に形成されたランナー６と積層鉄心３に形成された磁石挿入穴９を連絡する位置に配置されている。
【００２２】
下型１と上型２と積層鉄心３とダミー板４は以上のように構成されているので、図示しない樹脂注入装置を動作させて、プランジャー７を押し下げると、樹脂溜めポット５内に貯留されていた樹脂は、ランナー６とゲート孔１１を通って、磁石挿入穴９内に流入する。磁石挿入穴９内に流入した樹脂が硬化すると、永久磁石１０は積層鉄心３に固定される。
【００２３】
図２は、本実施形態に係るダミー板４に形成されたゲート孔１１と、上型２が備える樹脂溜めポット５とランナー６、積層鉄心３に形成された磁石挿入穴９の相対的な位置を示す平面図である。図２（ａ）は、積層鉄心３に磁石挿入穴９ａと磁石挿入穴９ｂが円周方向に配列されて、両者が「ハ」字形を成すように置かれた場合に、１個のゲート孔１１から２個の磁石挿入穴９ａ，９ｂに樹脂が注入されるように、ゲート孔１１を配置した例を示している。図２（ａ）に示すように、ゲート孔１１は、平面形において磁石挿入穴９ａと磁石挿入穴９ｂが最も接近する部位にあって、その平面形の一部が、磁石挿入穴９ａと磁石挿入穴９ｂのそれぞれ一部と重なるように配置されている。また、樹脂溜めポット５とゲート孔１１の間にはランナー６が配置されていて、両者を連絡している。そのため、樹脂溜めポット５に貯留された樹脂は、ランナー６を通ってゲート孔１１に流入する。ゲート孔１１に流入した樹脂は、平面形においてゲート孔１１と磁石挿入穴９ａ，９ｂが重なる部分を通って、磁石挿入穴９ａ，９ｂに流入する。
【００２４】
図２（ｂ）は、積層鉄心３に磁石挿入穴９ａと磁石挿入穴９ｂが半径方向に配列されて、両者が平行に置かれた場合の、ゲート孔１１の配置例を示している。図２（ｂ）に示すように、ゲート孔１１は、磁石挿入穴９ａと磁石挿入穴９ｂの中間の部位にあって、その平面形の一部が、磁石挿入穴９ａ，９ｂのそれぞれ一部と重なるように配置されている。そのため、樹脂溜めポット５からランナー６を通ってゲート孔１１に流入する樹脂は、平面形においてゲート孔１１と磁石挿入穴９ａ，９ｂが重なる部分を通って、磁石挿入穴９ａ，９ｂに流入する。
【００２５】
図２（ｃ）は、積層鉄心３に４個の磁石挿入穴９ａ，９ｂ，９ｃ，９ｄが形成された場合の、ゲート孔１１の配置例を示している。図２（ｃ）に示すように、磁石挿入穴９ａ，９ｂは円周方向に配列されて、両者が「ハ」字形を成すように置かれている。磁石挿入穴９ｃ，９ｄも円周方向に配列されて、両者が「ハ」字形を成すように置かれている。そして、磁石挿入穴９ａ，９ｂの組と磁石挿入穴９ｃ，９ｄの組は、半径方向に間隔を空けて、平行に配置されている。そして、ゲート孔１１は、磁石挿入穴９ａ，９ｂ，９ｃ，９ｄに囲まれた部位にあって、その平面形の一部が、磁石挿入穴９ａ，９ｂ，９ｃ，９ｄのそれぞれ一部と重なるように配置されている。そのため、樹脂溜めポット５からランナー６を通ってゲート孔１１に流入する樹脂は、ゲート孔１１の平面形において磁石挿入穴９ａ，９ｂ，９ｃ，９ｄのそれぞれと重なる部分を通って、磁石挿入穴９ａ，９ｂ，９ｃ，９ｄの全てに流入する。
【００２６】
図２（ａ）〜（ｃ）に示したように、ダミー板４が備えるゲート孔１１は、ダミー板４を積層鉄心３の上に被せて平面視する場合に、複数個の磁石挿入穴９ａ〜９ｄの、それぞれ、一部と重なるように配置されている。そのため、１個のゲート孔１１から複数個の磁石挿入穴９ａ〜９ｄに樹脂を注入することができる。
【００２７】
次に、図３（ａ）〜（ｄ）を参照して、磁石挿入穴９とゲート孔１１の相対的な位置を詳細に説明する。なお、図３（ａ）は、磁石挿入穴９ａと磁石挿入穴９ｂが円周方向に配列されて、両者が「ハ」字形を成すように置かれた場合を示している。つまり、図３（ａ）は図２（ａ）に示したダミー板４における磁石挿入穴９とゲート孔１１の相対的な位置を詳細に示している。図３（ｂ）〜（ｄ）は、磁石挿入穴９ａと磁石挿入穴９ｂが半径方向に配列されて、両者が平行に置かれた場合を示している。つまり、図３（ｂ）〜（ｄ）は図２（ｂ）に示したダミー板４における磁石挿入穴９とゲート孔１１の相対的な位置を詳細に示している。また、図３（ａ）〜（ｄ）において、ゲート孔１１の平面形において磁石挿入穴９ａと磁石挿入穴９ｂとが重なる部分（ハッチングを付した領域）は、それぞれ、磁石挿入穴９ａと磁石挿入穴９ｂに樹脂を注入する注入口の断面積に相当する。
【００２８】
図３（ａ）に示す場合は、ゲート孔１１は、その中心ＣＰが、磁石挿入穴９ａと磁石挿入穴９ｂを最短距離で結ぶ線分Ｓの中点に置かれるように配置されている。ゲート孔１１をこのように配置すれば、磁石挿入穴９ａと磁石挿入穴９ｂに樹脂を適切に注入させるのに必要な注入口の断面積を確保しながら、ゲート孔１１の径を最小にすることができる。その結果、樹脂の充填後にゲート孔１１に残る樹脂の量が最小化される。また、ゲート孔１１の平面形において磁石挿入穴９ａと磁石挿入穴９ｂとが重なる部分（ハッチングを付した領域）の面積を等しくできる。そのため、磁石挿入穴９ａと磁石挿入穴９ｂに流入する樹脂の流入速度が等しくなる。その結果、磁石挿入穴９ａへの樹脂充填と磁石挿入穴９ｂへの樹脂充填が同じタイミングで完了する。
【００２９】
図３（ｂ）に示す場合は、ゲート孔１１は、その中心ＣＰが、磁石挿入穴９ａと磁石挿入穴９ｂの中心線ＣL上にあって、磁石挿入穴９ａと磁石挿入穴９ｂを最短距離で結ぶ線分Ｓの中点に置かれるように配置されている。なお、中心線ＣLは平面形において磁石挿入穴９ａと磁石挿入穴９ｂを２等分する直線である。この場合も、ゲート孔１１の中心ＣＰが線分Ｓの中点に置かれるので、ゲート孔１１の径を最小化して、樹脂の充填後にゲート孔１１に残る樹脂の量を最小化することができる。また、ゲート孔１１の平面形において磁石挿入穴９ａと磁石挿入穴９ｂとが重なる部分（ハッチングを付した領域）が、中心線ＣL上に配置されているので、樹脂が磁石挿入穴９ａと磁石挿入穴９ｂの内部で偏りなく流れる。
【００３０】
図３（ｃ）に示すように、磁石挿入穴９ａの平面形が磁石挿入穴９ｂの平面形よりも大きい場合、つまり磁石挿入穴９ａの容積が磁石挿入穴９ｂの容積よりも大きい場合に、ゲート孔１１の中心ＣＰが線分Ｓの中点よりも、磁石挿入穴９ａに寄った位置に置かれるようにしても良い。ゲート孔１１を、このように配置すれば、ゲート孔１１の、平面形において、磁石挿入穴９ａと重なる部分（ハッチングを付した領域）の面積が、磁石挿入穴９ｂと重なる部分の面積（ハッチングを付した領域）よりも大きくなる。そのため、そのため、磁石挿入穴９ａに流入する樹脂の流入速度が磁石挿入穴９ｂに流入する樹脂の流入速度よりも大きくなる。その結果、磁石挿入穴９ａへの樹脂充填と磁石挿入穴９ｂへの樹脂充填が同じタイミングで完了する。
【００３１】
図３（ｂ）と図３（ｃ）においては、ゲート孔１１の中心ＣＰが磁石挿入穴９ａと磁石挿入穴９ｂの中心線ＣL上に置かれるようにゲート孔１１を配置した例を示したが、磁石挿入穴９ａと磁石挿入穴９ｂを最短距離で結ぶ線分Ｓは、中心線ＣLからオフセットした場所にも存在する。図３（ｄ）に示すように、中心線ＣLからオフセットした位置にある線分Ｓ上にゲート孔１１の中心ＣＰが置かれるようにしても良い。
【００３２】
ランナー６は、図１に示したような上型２に形成されたものには限定されない。図４に示すように、ランナー６はダミー板４に形成されても良い。また、図５（ａ）に示すように、ゲート孔１１ａの全体が樹脂溜めポット５の直下にあるようにした場合や、図５（ｂ）に示すように、ゲート孔１１ｂの一部が樹脂溜めポット５の直下に位置するようにした場合は、樹脂溜めポット５からゲート孔１１ａ，１１ｂに樹脂を直接流すことができる。この場合、樹脂溜めポット５とゲート孔１１ａ，１１ｂの間にランナー６を設ける必要がないので、ダミー板４に残留する樹脂滓が減少する。その結果、樹脂滓の除去に係る手間と樹脂の廃棄量を更に減少させることができる。
【００３３】
最後に、ダミー板４を使用して電機子を製造する方法を説明する。まず、図６（ａ）に示すように、下型１の上に積層鉄心３を載置して、積層鉄心３の上にダミー板４を被せる。次に、図６（ｂ）に示すように、永久磁石１０を磁石挿入穴９（図６において図示せず）に挿入する。そして、図６（ｃ）に示すように、ダミー板４の上に上型２を載置して、図示しない樹脂挿入装置に取り付ける。そして、図６（ｄ）に示すように、該樹脂挿入装置によって、プランジャー７が押し下げられて、磁石挿入穴９内に樹脂が注入される。なお、樹脂挿入装置の具体的な構成については、必要ならば、特許文献２（図１等）を参照されたい。
【００３４】
磁石挿入穴９内に注入された樹脂が硬化したら、図６（ｅ）に示すように、積層鉄心３とダミー板４から上型２と下型１を取り外す。最後に、図（ｆ）に示すように、積層鉄心３からダミー板４を取り外す。この時、ダミー板４に付着していた樹脂滓は、ダミー板４と共に積層鉄心３から除去される。以上のプロセスを経て、永久磁石付き電機子が完成する。
【００３５】
以上、説明したように、上記実施形態に係るダミー板４が備えるゲート孔１１は、ダミー板４を積層鉄心３に被せた場合に、平面形において複数個の磁石挿入穴９の、それぞれ一部と重なるように配置されている。つまり、複数個の磁石挿入穴９が１個のゲート孔１１を共用している。そのため、少数のゲート孔１１で多数の磁石挿入穴９に樹脂を注入することができる。そのため、上記実施形態に係るダミー板４は、従来品に比べてゲート孔１１の個数を減らすことができる。また、上記実施形態に係るダミー板４を使用する場合、上型２又はダミー板４において、樹脂溜めポット５とゲート孔１１の間に配置されるランナー６の個数を減らすことができる。そのため、樹脂の磁石挿入穴９への充填後に残る樹脂滓の量が減少する。その結果、樹脂滓の除去に係る手間を減少させることができる。また、樹脂滓として廃棄される樹脂の量が減少するので、樹脂材料の歩留まり率が向上する。
【００３６】
もっとも、本発明の技術的範囲は、上記実施形態の記載によっては限定されない。本発明は、特許請求の範囲に記載された技術的思想の限りにおいて、自由に応用、変形又は改良して実施することができる。
【００３７】
例えば、上記実施形態においては、上型２に樹脂溜めポット５を備えて、ゲート孔１１を備えるダミー板４が積層鉄心３の上面に当接して配置される例を示したが、ダミー板４はこのようなものには限定されない。下型１に樹脂溜めポット５を備えて、ダミー板４は積層鉄心３の下面に当接するように配置されても良い。つまり、下型１が備える樹脂溜めポット５から押し出された樹脂が、積層鉄心３の下面に当接するダミー板４に形成されたゲート孔１１を通って、積層鉄心３の下面から、磁石挿入穴９に注入されるようにしても良い。
【００３８】
また、下型１に樹脂溜めポット５を備えて、ダミー板４が積層鉄心３の下面に当接するように配置する場合に、特許文献２の図１１に記載の樹脂充填装置のように、下型１（下型１２）とダミー板４（下面ダミー板２８）の間に搬送治具（搬送治具２）が配置されるようにしても良い。
【００３９】
また、下型１と積層鉄心３の間に、搬送治具を配置する場合に、特許文献３の図１０に記載の樹脂充填装置のように、ダミー板４（下面ダミー板２８）を省いて、搬送治具（搬送治具２）がダミー板４として機能するようにしても良い。つまり、特許文献３の図１０に記載の樹脂充填装置を構成する搬送治具（搬送治具２）が備える開口（開口１６）が、平面形において、複数の磁石挿入穴（磁石挿入穴５）のそれぞれ一部と重なるように開口（開口１６）を配置すれば、開口（開口１６）は本発明の実施例に係るゲート孔１１として機能し、搬送治具（搬送治具２）は本発明の実施例に係るダミー板４として機能する。つまり、この場合、搬送治具（搬送治具２）は本発明の実施例に係るダミー板４そのものに該当する。
【００４０】
上記実施形態において、ゲート孔１１の平面形（水平断面形）を円形とする例を示したが、ゲート孔１１の平面形は円形には限定されない。ゲート孔１１の平面形は、楕円形であっても良いし、矩形であっても良いし、その他の形状であっても良い。
【００４１】
上記実施形態に示された積層鉄心３における磁石挿入穴９は例示である。本発明が適用される積層鉄心３は、上記実施形態において示されたものには限定されない。積層鉄心３が備える磁石挿入穴９の形状、個数、配置は任意である。つまり、本発明は、積層鉄心３が備える磁石挿入穴９の形状、個数、配置がどのようなものであっても適用できる。
【００４２】
上記実施形態において示された樹脂溜めポット５の形状、個数、配置は例示である。本発明に係る方法の実施に使用される上型２と下型１は自由に設計できる。
【００４３】
樹脂溜めポット５とゲート孔１１は１対１で組み合わされるものには限定されない。１個の樹脂溜めポット５と複数個のゲート孔１１が組み合わされていて、１個の樹脂溜めポット５から複数個のゲート孔１１に樹脂が流れるように構成されていても良い。
【００４４】
本発明に係る方法で製造される永久磁石付き電機子の用途は限定されない。永久磁石付き電機子は電動機を構成する電機子であっても良いし、発電機を構成する電機子であっても良い。永久磁石付き電機子は固定子であっても良いし、回転子であっても良い。
【符号の説明】
【００４５】
１  下型
２  上型
３  積層鉄心
４  ダミー板
５  樹脂溜めポット
６  ランナー
７  プランジャー
８  鉄心片
９（９ａ〜９ｄ）磁石挿入穴
１０  永久磁石
１１（１１ａ，１１ｂ）ゲート孔
【図１】
2018107841.tif 000003
【図２】
2018107841.tif 000004
【図３】
2018107841.tif 000005
【図４】
2018107841.tif 000006
【図５】
2018107841.tif 000007
【図６】
2018107841.tif 000008